(57)【要約】【課題】形成されるページの多少に関係なく掲載する物語内容に対応したページ数を設定し、背表紙部分と各ページで構成される本体部分の厚さが同一で、幼児でも安全かつ楽に取り扱うことができ、その形態も、本として紙製のものと同様の布製絵本の実現を目的としている。【解決手段】主要構成要素が布生地による絵本であって、背表紙で連結される表紙および裏表紙と、背表紙、表紙、裏表紙に囲まれて前記表紙と裏表紙との間に綴じ込み支持され絵本内容が記載される複数のページ片を具えてなり、前記表紙とページ片、ページ片相互、ならびにページ片と裏表紙とは、表紙とページ片との間、ページ片相互間、ならびにページ片と裏表紙との間に介装される接続片により連結して構成され、ページ片の数、各ページ片を連結する接続片の数、背表紙の幅寸法の調整により絵本のページ数を紙製の絵本同様に自在に設定できる布製絵本を提供して、上記課題を解決する。【選択図】  図２
2011131449.tif 000002
【特許請求の範囲】
【請求項１】
主要構成要素が布生地により形成される絵本であって、背表紙により連結される表紙および裏表紙と、背表紙、表紙、裏表紙に囲まれて前記表紙と裏表紙との間に綴じ込み支持され絵本内容が盛り込まれている複数のページ片を具えてなり、前記表紙とページ片、ページ片相互、ならびにページ片と裏表紙とは、表紙とページ片との間、ページ片相互間、ならびにページ片と裏表紙との間に介装されるそれぞれの接続片により連結固着して構成され、ページ片の数、各ページ片を連結する接続片の数、背表紙の幅寸法の調整により絵本のページ数を紙製の絵本同様に自在に設定できるようにしたことを特徴とする布製絵本。
【請求項２】
請求項１記載の布製絵本において、表紙、裏表紙、ページ片は袋状体により構成するとともに、前記接続片と相手方との連結固着は縫合手段又は接着剤手段により構成したことを特徴とする布製絵本。
【請求項３】
請求項２記載の布製絵本において、袋状体には形態維持手段を設けて袋状体がその形態を維持できるようにしたことを特徴とする布製絵本。
【請求項４】
請求項３記載の布製絵本において、袋状体に設ける前記形態維持手段は袋状体内に形成される芯材で構成したことを特徴とする布製絵本。
【請求項５】
請求項１ないし４いずれか記載の布製絵本において、前記布生地は不織布で形成したことを特徴とする布製絵本。
【請求項６】
以下の工程からなる布製絵本の製造方法。
（イ）  方形の布生地を２枚重ね合わせて背表紙側の一辺を除いた他の三辺の端部を縫合手段又は接着手段により接合した後、これを反転裏返して、三辺の接合部が隠れ、接合されていない他の一辺が開口している袋状体となっているページ片を所望枚数形成する工程、
（ロ）  次いで、前記ページ片よりひとまわり大きな方形の布生地で構成される第１表紙裏の端部とページ片の開口辺の端部とを重ね合わせ、さらに前記重ね合わせ端部に布生地で形成され前記表紙裏の端部と同じ長さを有する接続片を重ね合わせて、表紙裏、ページ片、接続片を縫合手段又は接着手段により綴じ合わせる工程、
（ハ）  前工程で綴じ合わされた接続片の自由端部を折り返してここに工程（イ）で用意した他のページ片の開口端部を重ね合わせるとともに、さらに重ね合わせ端部に他に用意した接続片を重ね合わせ、接続片の前記自由端部、ここに重ねあわされた前記他のページ片、この他のページ片に重ね合わされた前記他の接続片を縫合手段又は接着手段により綴じ合わせる工程、
（ニ）  前工程（ハ）を順次繰り返して、製作しようとする絵本のページ数に対応して所望枚数のページ片を綴じ合わせていき、最終ページの綴じ込みの際にはこの最終ページとこの上に重ね合わせた第２表紙裏のみをその前のページにおける接続片の折り返し部分に縫合手段又は接着手段により綴じ合わせるようにして、第１表紙裏と第２表紙裏との間に所定枚数のページ片が綴じ込まれてなる冊子本体を形成する工程、
（ホ）  前工程（ニ）で得た冊子本体において第１又は第２いずれかの表紙裏を開いた状態にして、この上面に、第１および第２表紙裏とそれぞれ同形、同寸法の第１表紙部および第２表紙部とこれら両者の間にあって前記冊子本体の厚さに相当する幅の背表紙部を有して布生地からなる表紙本体を重ね合わせ表紙本体と第１および第２表紙裏の端縁部を一部に開口部を残して縫合手段又は接着手段により綴じ合わせて原布製絵本を得る工程、
（へ）  次いで、前工程（ホ）で得た原布製絵本の端縁部における前記開口部分で全体を反転裏返した後、開口部を閉じ合わせて布製絵本を得る工程。
【請求項７】
請求項６記載の布製絵本の製造方法において、工程（イ）に係る袋状体のページ片には形態維持手段を設けてページ片がその形態を維持できるようにしたことを特徴とする布製絵本の製造方法。
【請求項８】
請求項７記載の布製絵本の製造方法において、原布製絵本における表紙本体には形態維持手段を設けて表紙本体と第１および第２の表紙裏とによる袋状体がその形態を維持できるようにしたことを特徴とする布製絵本の製造方法。
【請求項９】
請求項６ないし８いずれか記載の製造方法により製作した布製絵本。
【発明の詳細な説明】
【技術分野】
【０００１】
本願発明は布製書物、特に幼児や小児の絵本類に好適な布製書物に関するものである。
【背景技術】
【０００２】
絵本類は、幼児などの情操教育、しつけなどの見地から必要不可欠であるから、常に幼児などの身近にあり、軽量で手軽に携行でき、優しい感覚があって手にしやすく、親みやいことが重要である。しかしながら、幼児や小児向けの絵本は厚紙製の大型のものが多く、全体に硬いうえ、重くなる。  したがって、幼児らにとって、取り扱いが難しく、時には幼児らが絵本を投げ合って破損はおろか怪我をしたり、また、すぐにクシャクシャにしてしまったり、時にはなめたりして舌を切ったりすることもまれではない。      
このような点を改善するために、紙製の絵本に替えて、各種の布製の本が提案されている。
【０００３】
布製の本としては、従来、例えば特許文献１に示すようなものが知られている。  この特許文献１に係る布製の本は、２つ折りにした布を複数重ね、折り目とは反対側を糸で綴じて袋綴りの装幀としたものであり、それぞれの布の表側に絵等が印刷されて本となっている。この布製本は、小さく折り畳んだり丸めたりできるので携帯に便利である上、布製なので投げても壊れ難く、また汚れたときには洗濯も可能であるので、幼児用の本として好適である。
【０００４】
また、特許文献２に係る布製の本は、長方形の１枚の布帛（ガーゼタオル等）を、長手方向に沿って２つ折りにした後、その直交方向に屏風畳みした構成を有して、屏風畳みの折り目で区切られた区画を一つの頁として絵や文字が配置されようになっている。
【０００５】
しかしながら、上記の従来例では、本を構成する各ページは布生地であるから、紙のような展張自立性がなく、へなへなしていて形態保持性もなく、到底本と呼べるようなものではなく、幼児らにとって、単なる布の片としての記憶のみがのこりがちで、通常の絵本が有しているような、情操に訴えてこれを向上させるといった固有の機能に乏しい。  また、上記従来例では、ページ数を増やすことが難しく、断片的な内容しか盛り込むことができない。  
【０００６】
このため、薄手の布によりページ数を増やす試みもなされているが、各ページの綴じ込みは、背表紙側の端部を縫うことにより実行しているため、あまりページ数を増やすと、閉じ部分（背表紙部分）が各ページによる本体部分に比較して極めて薄くなってしまい、全体として本とはいえない異様な形状となってしまい、取り扱いに不便である。
【０００７】
また、薄手の布でページを構成すると、柔らか過ぎて、紙のようなページめくりができず、絵本を一覧する場合にも不便である。このため、袋状の布生地にプラスチックによる軽量の芯材を収納して、これにより各ページを構成する場合があるが、綴じ込みは芯材を除いた布部分のみを縫うため、背表紙部分は本体部分より著しく薄くなってしまし、多数のページを綴じ合わせることは事実上不可能である。  
【０００８】
なお、本願に関連する特許文献として、以下のものが存在する。
【特許文献１】実開昭６３−３４６７号公報
【特許文献２】特開２００９−２０２４８０
【発明の開示】
【発明が解決しようとする課題】
【０００９】
本願発明は、形成されるページの厚さ、薄さに関係なく掲載する物語などの内容に対応したページ数を実現でき、しかも背表紙部分と内容が記載される各ページで構成される本体部分の厚さが同一で、幼児でも安全かつ楽に取り扱うことができ、その形態も、本として紙製のものに見劣りのしない布製絵本の実現を目的としている。
【課題を解決するための手段】
【００１０】
本願は、主要構成要素が布生地により形成される絵本を、背表紙により連結される表紙および裏表紙と、背表紙、表紙、裏表紙に囲まれて前記表紙と裏表紙との間に綴じ込み支持され絵本内容が盛り込まれている複数のページ片を具えてなり、前記表紙とページ片、ページ片相互、ならびにページ片と裏表紙とは、表紙とページ片との間、ページ片相互間、ならびにページ片と裏表紙との間に介装されるそれぞれの接続片により連結固着して構成され、ページ片の数、各ページ片を連結する接続片の数、背表紙の幅寸法の調整により絵本のページ数を紙製の絵本同様に自在に設定できるような構成となすことにより、上記従来の課題を解決しようとするものである。
【００１１】
また、上記の布製絵本において、表紙、裏表紙、ページ片は袋状体により構成するとともに、前記接続片と相手方との連結固着は縫合手段又は接着剤手段により構成することがある。
【００１２】
さらに、段落００１１の布製絵本において、袋状体には形態維持手段を設けて袋状体がその形態を維持できるような構成となすことがある。
【００１３】
さらにまた、段落００１２の布製絵本において、袋状体に設ける前記形態維持手段は袋状体内に形成される芯材で構成することがある。
【００１４】
また、段落００１０ないし００１３いずれかの布製絵本において、前記布生地は不織布で形成することがある。
【００１５】
さらに、本願発明は、以下の工程からなる布製絵本の製造方法を提供して上記従来の課題を解決しようとするものである。
すなわち、
（イ）  方形の布生地を２枚重ね合わせて背表紙側の一辺を除いた他の三辺の端部を縫合手段又は接着手段により接合した後、これを反転裏返して、三辺の接合部が隠れ、接合されていない他の一辺が開口している袋状体となっているページ片を所望枚数形成する工程、
（ロ）  次いで、前記ページ片よりひとまわり大きな方形の布生地で構成される第１表紙裏の端部とページ片の開口辺の端部とを重ね合わせ、さらに前記重ね合わせ端部に布生地で形成され前記表紙裏の端部と同じ長さを有する接続片を重ね合わせて、表紙裏、ページ片、接続片を縫合手段又は接着手段により綴じ合わせる工程、
（ハ）  前工程で綴じ合わされた接続片の自由端部を折り返してここに工程（イ）で用意した他のページ片の開口端部を重ね合わせるとともに、さらに重ね合わせ端部に他に用意した接続片を重ね合わせ、接続片の前記自由端部、ここに重ねあわされた前記他のページ片、この他のページ片に重ね合わされた前記他の接続片を縫合手段又は接着手段により綴じ合わせる工程、
（ニ）  前工程（ハ）を順次繰り返して、製作しようとする絵本のページ数に対応して所望枚数のページ片を綴じ合わせていき、最終ページの綴じ込みの際にはこの最終ページとこの上に重ね合わせた第２表紙裏のみをその前のページにおける接続片の折り返し部分に縫合手段又は接着手段により綴じ合わせるようにして、第１表紙裏と第２表紙裏との間に所定枚数のページ片が綴じ込まれてなる冊子本体を形成する工程、
（ホ）  前工程（ニ）で得た冊子本体において第１又は第２いずれかの表紙裏を開いた状態にして、この上面に、第１および第２表紙裏とそれぞれ同形、同寸法の第１表紙部および第２表紙部とこれら両者の間にあって前記冊子本体の厚さに相当する幅の背表紙部を有して布生地からなる表紙本体を重ね合わせ表紙本体と第１および第２表紙裏の端縁部を一部に開口部を残して縫合手段又は接着手段により綴じ合わせて原布製絵本を得る工程、
（へ）  次いで、前工程（ホ）で得た原布製絵本の端縁部における前記開口部分で全体を反転裏返した後、開口部を閉じ合わせて布製絵本を得る工程。
【００１６】
また、段落００１５の布製絵本の製造方法において、工程（イ）に係る袋状体のページ片には形態維持手段を設けてページ片がその形態を維持できるように構成することがある。
【００１７】
さらに、段落００１６の布製絵本の製造方法において、原布製絵本における表紙本には形態維持手段を設けて表紙本体と第１および第２の表紙裏とによる袋状体がその形態を維持できるように構成することがある。
【発明の効果】
【００１８】
本願発明は、ページ数を物語などの長さ内容に応じて紙製の絵本と変わらない体裁で自在に増加設定できるので、安全で扱い易い利点とあいまって幼児に質量ともに高い標準の内容を持った絵本を提供できるから、その情操教育に資するところが極めて大きい。
【実施例】
【００１９】
次に、図面により本願発明の布製絵本の一実施例を説明する。  この実施例で絵本は、主要構成要素が一重の布生地により形成されている。図１は、絵本の表紙の上面図であり、表紙布片Ｈは背表紙１により連結される表紙２および裏表紙３で構成され、全体が１枚の布生地により形成されている。  表紙布片Ｈの背表紙１部分に後述のように内容が記載されたページ片が接続片により綴じ込まれることになる。
【００２０】
図２は、背表紙１に綴じ込まれた複数のページ片４，４．．を直立させ表紙部分（表紙布片Ｈ）を開いた状態の絵本Ｅを示す正面図である。前記表紙２とページ片４、ページ片４相互、ならびにページ片４と裏表紙３とは接続片５により連結固着されている。
すなわち、例えば、図３に示すように、長手上の布生地で形成される接続片５は、表紙２とページ片４との交差部分に介装されページ片４を表紙２および背表紙１縫合手段又は接着手段により綴じ込むようになっている。  なお、図示しないが、同様にして残りのページ片４も背表紙１に綴じこまれ、最終のページ片４は背表紙１と裏表紙３に綴じ込まれることになる。  以上のような、綴じ込みによりページ片４は絵本の内容に応じてページ数を必要なだけ増設することができる。    
【００２１】
上述の実施例では、絵本の主要構成要素を一重の布生地により形成される例を示したが、一重の布生地は自立性若しくは形態維持性に欠けるから、絵本を手にとってページを繰るなどが困難で読むには不便な面がある。  そこで、上述の実施例において、表紙２、裏表紙３、ページ片４は袋状体により構成すればこのような不便さを改善できる。袋状体に設ける形態維持手段としては、袋状体内に芯材を設けたり、袋状体の内面に樹脂材などをコーティングしたりすることが挙げられる。  なお、前記の実施例では、布生地は織物を念頭に置いて説明したが、前記布生地を不織布で形成すれば、接着剤、熱溶着法などで接続片５などの各部材を接合するのに適している。
【００２２】
次に、本願に係る絵本の製造法とこれにより製作される布製絵本の一実施例を図４以下に沿って説明する。
図４は、この実施例に係る布製絵本の製造法に使用する主要構成部材を示す平面図である。  図において、Ｈは表紙布片であり、背表紙（となるべき部分）１１とこれを間にして表紙表面（となるべき部分）１２とこれと同形の裏表紙表面（となるべき部分）１３とを有する一枚続きの布片で形成されている。  １４ならびに１５はそれぞれ1枚の布片による第1表紙裏と第2表紙裏で、各々前記表紙表面１２、裏表紙表面１３と同形で、後述のように、絵本の完成時には表紙表面１２と第1表紙裏１４とはその端縁の所要箇所をミシンなどの縫合手段（または接着手段）により接合されて袋状体に形成されることになり、また、裏表紙表面１３と第2表紙裏１５も前記同様に袋状体に形成されることになる。
【００２３】
１６は、細幅の布生地片で形成される接続片であり、各ページ片１７の間に介装されてページ片１７相互を縫合する。  なお、この接続片１６には幅方向に3等分する2本の基準線Ｋが描画されており、この基準線Ｋによりページ片１７との正確な縫着を実現するようになっている。
【００２４】
また、１７は絵本の内容などが記載されることになるページ片で、表紙表面１２やこれと同形の裏表紙表面１３と相似形でこれより一回り小さい布生地片2枚の重ね合わせにより構成されている。  すなわち、2枚重ね合わせた布片の一方辺（図では左方辺）を除く他の三辺の端縁がＮ部分でミシンなどの縫合手段（又は接着手段でもよい）により縫い合されている。  このページ片１７は、絵本の内容量に見合わせた枚数を用意することになる。  なお、表紙布片Ｈ、第1表紙裏１４、第2表紙裏１５および接続片１６の高さｈは同一に設定されている。
【００２５】
図５に示すように、方形の布生地を２枚重ね合わせて背表紙側の一辺（図で左方）を除いた他の三辺の端縁部を縫合手段又は接着手段により接合されたページ片１７はこれを反転裏返して、三辺の接合部Ｎも反転させ、接合されていない他の一辺（図で左方）が開口している袋状体ページ片１７１を形成する。
【００２６】
次いで、図６に示すように、前記袋状体ページ片１７１よりひとまわり大きな方形の布生地で構成される第１表紙裏１４の端部と袋状体ページ片１７１の開口辺の端部とを重ね合わせ、さらに前記重ね合わせ端部に布生地片で形成されて、前記第１表紙裏１４の端部と同じ長さを有する接続片１６を重ね合わせて、第1表紙裏１４、袋状体ページ片１７１、接続片１６を縫合手段としてのミシンにより縫い合わせる。  なおこの際、前述のように接続片１６には幅方向に3等分する2本の基準線Ｋが描画されており、この基準線Ｋにより袋状体ページ片１７との正確な縫着を実現することになる。
【００２７】
そして、図7に示すように、図６に示す前工程で綴じ合わされた接続片１６の自由端部（図7で右方）を折り返して、ここに、用意した他の袋状体ページ片１７１の開口端部を重ね合わせるとともに、さらにこの重ね合わせ端部に他に用意した別の接続片１６を重ね合わせ、接続片１６の前記折り曲げられた自由端部、ここに重ねあわされた前記他の袋状体ページ片１７１、この他のページ片に重ね合わされた前記他の接続片１６を縫合手段としてのミシンにより綴じ合わせて縫着する。
【００２８】
上記工程を順次繰り返して、製作しようとする絵本のページ数に対応して所望枚数の袋状体ページ片１７１を綴じ合わせていき、図８に示すように、最終ページの綴じ込みの際にはこの最終ページである袋状体ページ片１７１（図で最上段）とこの上に重ね合わせた第２表紙裏１５のみをその前のページにおける接続片１６の折り返し部分に、縫合手段としてのミシンにより縫合して綴じ合わせる。このようにして、第１表紙裏１４と第２表紙裏１５との間に所定枚数の袋状体ページ片１７１が綴じ込まれて冊子本体１８が得られる。
【００２９】
次に、上記工程で得た冊子本体１８に表紙を装着する。  図9に示すように、まず、冊子本体１８において、第１表紙裏１４（又は第２表紙裏１５いずれか）の表紙裏を開いた状態にして、この上面に表紙本体としての表紙布片Ｈを重ね合わせる。
この表紙布片Ｈは、図４で前述したように、前記冊子本体１８の厚さに相当する幅の背表紙（となるべき部分）１１とこれを間にして表紙表面（となるべき部分）１２とこれと同形の裏表紙表面（となるべき部分）１３とを有する一枚続きの布片で形成されている。
【００３０】
次いで、図１０のように重ね合わせ状態で、表紙本体としての表紙布片Ｈと第１表紙裏１４および第２表紙裏１５の端縁部を一部に開口部分Ｋを残して縫合手段としてのミシンにより縫合線Ｎを形成して綴じ合わせて、完成品の前段階である原布製絵本１９を得る。
【００３１】
そして、図10に示す工程で得た原布製絵本１９を反転裏返して目的の布製絵本を製作する。  すなわち、開口部分Ｋを開いてその淵を持ち内部を開口部分Ｋから冊子本体１８を押し出すようにして反転させて全体を裏返すことにより、図１１に示すような布製絵本Ｆを得る。  開口部分Ｋは縫合などの適宜手段により綴じ合わせる。
【００３２】
上記の実施例に係る布製絵本では各ページ、表紙、裏表紙はそれぞれ2重すなわち袋状をなしている。  原料である布生地に比較的厚手のものを選択したり、あるいは袋状の部分をキルト状に縫い合わせることにより、それぞれがある程度の形態維持性あるいは自立性を有することができ、絵本を保持したり、ページをめくる作業に支障を来たすことはない。  
【００３３】
しかし、布生地として薄手のものを使用すると、絵本全体としてもまた各ページも型崩れを起こしてしまい、使用、保管その他、書物としての利便性は紙製の絵本におよばない。  
そこで、薄手の布生地を材料とする場合は、袋状体のページ片には形態維持手段を設けてページ片がその形態を維持できるようにし、また、前記原布製絵本にいて、表紙本体と第１および第２の表紙裏とによる袋状体ににも形態維持手段を設けて、形態を維持できるようにすることが望ましい。  このような形態維持手段としては、例えば、布生地に樹脂材を塗布して多少の剛性を得ること、あるいは袋状部分に補強材を挿入する方法が考えられる。  樹脂材の塗布量が多すぎると布生地の硬さが増してしまい紙と変わらなくなってしまうので布生地に自立性を付与できる最小量の塗布が望ましい。  同様に、補強材もあまり硬いものではなく、適度の可撓性を有するもの例えば薄手のウレタン材などがは好ましいが、特にウレタン材に限定されることはない。
【００３４】
以上説明したように、本願発明によれば、必要に応じてページ数を容易に増やすことができ、その場合でも絵本の全体的形状が奇異なものとなることはなく、通常の紙製絵本と基本的に同様で、例えば表紙における背表紙部分には整然と各ページが綴じこまれていて、格別の制約を受けることがない。
【図面の簡単な説明】
【００３５】
【図１】本願発明に係る布製絵本の表紙の上面図である。
【図２】背表紙に綴じ込まれた複数のページ片を直立させて表紙部分（表紙布片）を開いた状態の絵本Ｅを示す正面図である。
【図３】表紙、接続片、ページ片等の関連構成を示す斜視図である。
【図４】布製絵本の製造法の一実施例に使用する主要構成部材を示す平面図である。
【図５】袋状体ページ片の制作工程を示す斜視図である。
【図６】表紙裏、接続片、ページ片の関連構成を示す斜視図である。
【図７】接続片を介在させてページ片を綴じこむ状況を示す説明図である。
【図８】第１表紙裏と第２表紙裏の間に所定枚数の袋状体ページ片が綴じ込まれてなる冊子本体を示す説明図である。
【図９】第１表紙裏（又は第２表紙裏のいずれか）の表紙裏を開いた状態にした冊子本体とこの上面に縫い合わされる表紙本体としての表紙布片との関連構成を示す斜視図である。
【図１０】完成品の前段階である原布製絵本を示す斜視図である。
【図１１】完成品としての布製絵本を示す斜視図である。
【符号の説明】
【００３６】
Ｆ．．．．．．．布製絵本完成品
Ｈ．．．．．．．表紙布片
Ｋ．．．．．．．開口部分
Ｎ．．．．．．．縫合線
１．．．．．．．背表紙
２．．．．．．．表紙
３．．．．．．．裏表紙
４．．．．．．．ページ片
５．．．．．．．接続片
１１．．．．．．背表紙（となるべき部分）
１２．．．．．．表紙表面（となるべき部分）
１３．．．．．．裏表紙表面（となるべき部分）
１４．．．．．．第1表紙裏
１５．．．．．．第2表紙裏
１６．．．．．．接続片
１７．．．．．．ページ片
１７１．．．．袋状体ページ片
１８．．．．．．冊子本体
【図１】
2011131449.tif 000003
【図２】
2011131449.tif 000004
【図３】
2011131449.tif 000005
【図４】
2011131449.tif 000006
【図５】
2011131449.tif 000007
【図６】
2011131449.tif 000008
【図７】
2011131449.tif 000009
【図８】
2011131449.tif 000010
【図９】
2011131449.tif 000011
【図１０】
2011131449.tif 000012
【図１１】
2011131449.tif 000013